(57)【要約】【課題】モヤモヤと立ち昇る湯気を確実に防止することのできるスチームトラップの消湯気器を得ること。【解決手段】復水溜り室５の外周に薄板状のヒートパイプ６、７の吸熱部１５を配置し、他端側の放熱部１６に平板状の熱放射部材としてのセラミック２０，２１を取り付けて大気中に配置する。復水溜り室５に溜った復水の熱は、ヒートパイプ６，７からセラミック２０，２１に熱移動して、大気中へ遠赤外線として放射されることにより、放熱され、下流のスチームトラップから排出される場合にモヤモヤとした湯気の発生を防止する。【選択図】            図１
2004245309.tif 000002
【特許請求の範囲】
【請求項１】
スチームトラップから排出される復水が再蒸発したモヤモヤとした湯気を消すものにおいて、ケーシングで入口と復水溜り室と出口連結部を形成し、当該復水溜り室内にサイフォン管を取り付け、当該サイフォン管の下端部を出口連結部へ連通すると共に、当該出口連結部とスチームトラップの入口とを連結し、復水溜り室に復水の有する熱を吸熱するヒートパイプを取り付けて、当該ヒートパイプの放熱部に熱を遠赤外線に変換して放射する熱放射部材を配置したことを特徴とするスチームトラップの消湯気器。
【発明の詳細な説明】
【０００１】
【発明の属する技術分野】
本発明は、スチームトラップから排出される復水の再蒸発によるモヤモヤとした湯気を消すスチームトラップの消湯気器に関する。
【０００２】
【従来の技術】
【特許文献】特開２００２−５３９６号公報
これは、ケーシングで入口と復水溜り室と出口連結部を形成し、当該復水溜り室内にサイフォン管を取り付け、当該サイフォン管の下端部を出口連結部へ連通すると共に、当該出口連結部とスチームトラップの入口とを連結し、復水溜り室に復水の有する熱を吸熱するヒートパイプを取り付けたもので、復水溜り室の復水の熱をヒートパイプで大気中へ放熱して復水を冷却すると共に、復水溜り室の復水を間欠的に排出することによって、モヤモヤとした湯気を少なくすることができるものである。
【０００３】
【発明が解決しようとする課題】
上記従来のスチームトラップの消湯気器では、モヤモヤとした湯気を確実に消すことができない問題があった。これは、復水溜り室に溜まった復水の熱を、ヒートパイプで大気中へ放熱する場合に、ヒートパイプの放熱部から大気中への対流に伴う自然放熱を利用しているために、ヒートパイプ自身の伝熱効率は高いにもかかわらず、放熱部から大気中へ充分な熱量を放熱できず、すなわち、大気中への放熱効率が極端に低下するために、復水溜り室の復水の温度を充分に低下させることができないためである。
【０００４】
従って本発明の課題は、復水溜り室の復水の温度を確実に低下させて、復水の再蒸発に伴うモヤモヤとした湯気を消すことができる、スチームトラップの消湯気器を得ることである。
【０００５】
【課題を解決するための手段】
上記の課題を解決するための手段は、スチームトラップから排出される復水が再蒸発したモヤモヤとした湯気を消すものにおいて、ケーシングで入口と復水溜り室と出口連結部を形成し、当該復水溜り室内にサイフォン管を取り付け、当該サイフォン管の下端部を出口連結部へ連通すると共に、当該出口連結部とスチームトラップの入口とを連結し、復水溜り室に復水の有する熱を吸熱するヒートパイプを取り付けて、当該ヒートパイプの放熱部に熱を遠赤外線に変換して放射する熱放射部材を配置したものである。
【０００６】
【発明の実施の形態】
ヒートパイプの放熱部に、熱を遠赤外線に変換して放射する熱放射部材を配置したことによって、復水溜り室に溜まった復水の熱は、熱放射部材により遠赤外線に変換されて効率良く大気中へ放射される。このように、復水の熱が大気中へ効率良く放射放熱されることによって、復水溜り室の復水は冷却され、モヤモヤと立ち昇る湯気を防止することができる。
【０００７】
熱を遠赤外線に変換して放射する熱放射部材としては、例えば、セラミックや高分子材料等を使用することができる。セラミックとしては、コージライト、遷移元素酸化物系セラミック、アルミナ、ジルコニア、チタニア、あるいは、酸化ケイ素と酸化アルミニウムの化合物等既知のものを使用することができるが、熱から遠赤外線への変換効率の高いものが適する。
【０００８】
【実施例】
図１において、ケーシング１に設けた入口２と出口３と、ケーシング１内に設けた復水溜り室５とサイフォン管４と、復水溜り室５の外周に取り付けたヒートパイプ６，７、及び、ヒートパイプ６，７の放熱部に配置した熱放射部材としてのセラミック２０，２１とでスチームトラップの消湯気器を構成する。
【０００９】
入口２を図示しない蒸気使用機器と接続し、出口３を同じく図示しないスチームトラップの入口側と接続して、スチームトラップに流下する復水の温度を低下させることにより、スチームトラップから排出される復水の再蒸発によるモヤモヤとした湯気の発生を防止するものである。
【００１０】
円筒状ケーシング１の上部の入口２の端部開口８を、復水溜り室５の上方に位置させて、入口２から流下する復水が復水溜り室５内に流入しやすくする。復水溜り室５内には逆Ｕ字状のサイフォン管４を取り付ける。サイフォン管４の一端開口９を復水溜り室５の下方で開口する。サイフォン管４の上端部１２は復水溜り室５の上端１３よりもやや低い位置とする。
【００１１】
ヒートパイプ６，７は、薄板長方形のループ型細管ヒートパイプとして、復水溜り室５の外周に一端の吸熱部１５を配置して取り付ける。他端部側１６は放熱部であり、同じく平板長方形の熱放射部材としてのセラミック２０，２１を取り付けて、復水溜り室５から離れた大気中に配置する。ループ型細管ヒートパイプ６、７の内部は図示しないが、多数の細管をループ状に且つ並列に形成して全体を一本の連続した細管として、その内部を真空状態にして作動液を封入したものである。
【００１２】
平板状セラミック２０，２１は、銅やアルミで製作した平板の表面に、酸化ケイ素と酸化アルミニウムの化合物と水とを混合した液体状のものを塗布して乾燥させ積層したもので、放熱部１６のほぼ全長に渡って配置する。セラミック２０，２１の膜厚や配置長さは、復水の温度に応じて適宜調節することができる。
【００１３】
復水溜り室５の側方及び下方に出口連結部１０を設ける。出口連結部１０の端部を出口３と接続すると共に、サイフォン管４の他端開口１１を出口連結部１０内に開口する。出口３は図示しないスチームトラップの入口側とパイプ等で接続する。
【００１４】
入口２から高温の復水が流入してくると復水溜り室５に一旦溜まり、その液位がサイフォン管４の上端１２越えるとサイフォン作用によって液位が下端開口９に達するまで復水は連続的に出口３から図示しないスチームトラップに流下して、このスチームトラップから系外に排出される。
【００１５】
復水溜り室５に一旦溜まっている復水の熱は、ループ型細管ヒートパイプ６、７の吸熱部１５に吸熱され、ヒートパイプ６、７内を熱移動して放熱部１６からセラミック２０，２１へと移動する。セラミック２０，２１でこの熱は遠赤外線へと変換されて大気中に放射されることにより、復水溜り室５内の復水は冷却される。
【００１６】
このように、ヒートパイプ６，７の放熱部１６に取り付けたセラミック２０，２１で、復水の保有する熱を速やかに且つ効率良く大気中へ遠赤外線として放射して放熱することにより、下流のスチームトラップから排出される復水が再蒸発してモヤモヤと立ち昇る湯気の発生を確実に防止することができる。
【００１７】
【発明の効果】
上記のように本発明では、熱を遠赤外線に変換して放射する熱放射部材で復水の保有する熱を効率良く大気中へ放熱することにより、復水を確実に冷却してモヤモヤと立ち昇る湯気を消すことのできるスチームトラップの消湯気器を得ることができる。
【図面の簡単な説明】
【図１】本発明のスチームトラップの消湯気器の一部断面構成図。
【符号の説明】
１  ケーシング
２  入口
３  出口
４  サイフォン管
５  復水溜り室
６，７  ヒートパイプ
１５  吸熱部
１６  放熱部
２０，２１  熱放射部材
【図１】
2004245309.tif 000003